(57)【要約】【課題】歯科用マイクロエンジン（モータ）ハンドピースにおいて、電動機（モータ）自身の回転を利用して、該電動機を冷却するエアーを発生し、該エアーを用いて電動機を冷却するようにし、もって、インスツルメントホースの重さを軽くし、術者の歯科治療作業における荷重負担を軽減する。【解決手段】ハンドピース１０内には、電動機１が設けられ、この電動機１の回転が動力伝達軸２を通してヘッド３内に設けられた回転筒に伝達される。回転筒にはチャック機構が一体的に設けられており、このチャック機構には歯牙治療用のバー４が着脱自在に装着されるようになっている。電動機１の回転を伝達する動力伝達軸２には該動力伝達軸２と一体的に回転する回転翼５を有し、該回転翼５の回転によって生じる風を、例えば、チューブ６を通して電動機１に送り、該電動機１を冷却する。【選択図】図１
2007143786.tif 000002
【特許請求の範囲】
【請求項１】
ハンドピース内に設けられた電動機と、該電動機の回転をヘッド内に設けられた回転筒に伝達する動力伝達軸とを有し、前記電動機の回転を前記回転軸に伝達し、該回転軸と一体的に回転するチャック機構に着脱自在に装着された歯科治療具を回転するようにした歯科治療用ハンドピースにおいて、前記動力伝達軸と一体的に回転する翼を有し、該翼の回転によって生じる風を前記電動機に送り、該電動機を冷却するようにしたことを特徴とする歯科用ハンドピース。
【請求項２】
前記ハンドピースの外被に前記回転翼に送る風を通すための通気孔が設けられていることを特徴とする請求項１に記載の歯科用ハンドピース。
【請求項３】
前記回転翼によって発生される風を通すための通気チューブを有し、該通気チューブを通して前記電動機に風を送るようにしたことを特徴とする請求項１又は２に記載の歯科用ハンドピース。
【請求項４】
前記ハンドピースの外被に前記電動機を冷却した後の風を通すための排気孔が設けられていることを特徴とする請求項１乃至３のいずれかに記載の歯科用ハンドピース。
【発明の詳細な説明】
【技術分野】
【０００１】
本発明は、歯科用ハンドピース、より詳細には、歯科治療において、歯牙の切削等に用いるマイクロエンジン（モータ）ハンドピースにおける電動機（モータ）の冷却構造に関する。
【背景技術】
【０００２】
歯科治療においては、歯牙の切削等にマイクロエンジン（モータ）ハンドピースを用いるが、このマイクロエンジンハンドピースは、握持部に電動機（モータ）を内蔵し、該電動機の回転を動力伝達軸を通して歯科治療具（歯牙切削バー）に伝達し、該バーによって歯牙の切削等を行うものであるが、連続して使用していると電動機が加熱し、長時間に亘って連続使用することはできなかった。
【０００３】
図２は、本発明が適用される従来のマイクロエンジンハンドピースの一例を説明するための要部概略構成図で、図中、１０はハンドピースで、該ハンドピース１０内には、動力源としての電動機（モータ）１が内蔵されており、該電動機１の回転が動力伝達軸（スピンドル）２を介して、ヘッド部３に設けられている回転筒を回転する。この回転筒にはチャック機構が一体的に取り付けられており、該チャック機構は前記回転筒と一体的に回転する。このチャック機構には、例えば、歯牙を切削する切削具（バー）４が着脱自在に装着され、該切削具４が回転されて歯牙の切削が行われる。
【０００４】
上述のように、マイクロエンジンハンドピースは、電動機（モータ）１を回転して切削具４を回転し、この切削具４の回転によって歯牙等の切削を行うものであるが、長時間に亘って連続的に使用していると、電動機１が発熱し、術者がハンドピース１０を握っていられない位にまで温度が上昇する。そのため、従来は、インスツルメントホース２０を通して、図示しないユニット側から冷却エアーを供給して、電動機１を冷却するようにしている。そのため、インスツルメントホースが重くなり、その分、歯科治療作業において、術者のインスツルメントを持つ手に負担がかかり、歯科治療作業を効果的に行うことができなかった。
【発明の開示】
【発明が解決しようとする課題】
【０００５】
本発明は、上述のごとき実情に鑑みてなされたもので、歯科用マイクロエンジン（モータ）ハンドピースにおいて、電動機（モータ）自身の回転を利用して、該電動機を冷却するエアーを発生し、該エアーを用いて電動機を冷却するようにし、もって、インスツルメントホースの重さを軽くし、術者の歯科治療作業における負担を軽減するようにしたものである。
【課題を解決するための手段】
【０００６】
請求項１の発明は、ハンドピース内に設けられた電動機と、該電動機の回転をヘッド内に設けられた回転筒に伝達する動力伝達軸とを有し、前記電動機の回転を前記回転軸に伝達し、該回転軸と一体的に回転するチャック機構に着脱自在に装着された歯科治療具を回転するようにした歯科治療用ハンドピースにおいて、前記動力伝達軸と一体的に回転する翼を有し、該翼の回転によって生じる風を前記電動機に送り、該電動機を冷却するようにしたことを特徴としたものである。
【０００７】
請求項２の発明は、請求項１の発明において、前記ハンドピースの外被に前記回転翼に送る風を通すための通気孔が設けられていることを特徴としたものである。
【０００８】
請求項３の発明は、請求項１又は２の発明において、前記回転翼によって発生される風を通すための通気チューブを有し、該通気チューブを通して前記電動機に風を送るようにしたことを特徴としたものである。
【０００９】
請求項４の発明は、請求項１乃至３のいずれかの発明において、前記ハンドピースの外被に前記電動機を冷却した後の風を通すための排気孔が設けられていることを特徴としたものである。
【発明の効果】
【００１０】
本発明によると、歯科用マイクロエンジン（モータ）ハンドピースにおいて、電動機（モータ）自身の回転を利用して、該電動機を冷却するエアーを発生し、該エアーを用いて電動機を冷却するようにしたので、インスツルメントホースの重さが軽くなり、歯科治療作業における術者のインスツルメントを持つ手の負担を軽減することができる。
【発明を実施するための最良の形態】
【００１１】
図１は、本発明による歯科治療用マイクロエンジンハンドピースの一実施例を説明するための要部概略構成図で、図中、図２に示したマイクロエンジンハンドピースと同様の作用をする部分には、図２の場合と同一の参照番号が付してある。
【００１２】
而して、本発明においては、電動機１の回転を切削具（バー）４へ伝達するための動力伝達軸（スピンドル）２には、送風用の風を発生するための翼（羽根）５が一体的に設けられており、該動力伝達軸２が回転された時、翼５は該動力伝達軸２と一体的に回転されて、電動機１へ向う方向の風を発生する。この風は、ハンドピース１０内を通して電動機１に供給されるようにしてもよいが、好ましくは、チューブ６によって集められ、該チューブ６を通して電動機１に供給され、該電動機１を冷却する。電動機１を冷却した後のエアーは、好ましくは、ハンドピース１０の外被に開けられた排気用の孔１１を通して外部へ放出される。なお、１２は吸気用の孔で、ハンドピースの外被に、前記回転翼５より先方に、吸気用の孔１２を設けておくことにより、より効率よく、冷却用空気を発生させることができる。
【００１３】
以上の説明から明らかなように、本発明によると、インスツルメントホース内に、電動機冷却用の空気路（チューブ）を設ける必要がないので、インスツルメントホースを軽量化することができ、術者の作業が楽になり、しかも、全体構成が簡略化されるため（ユニット側でのエアー供給制御機構が不要）、安価な構成で、効果的な冷却をすることができる。
【図面の簡単な説明】
【００１４】
【図１】本発明による歯科治療用マイクロエンジンハンドピースの一実施例を説明するための要部概略構成図である。
【図２】本発明が適用される従来のマイクロエンジンハンドピースの一例を説明するための要部概略構成図である。
【符号の説明】
【００１５】
１…電動機（モータ）、２…動力伝達軸、３…ヘッド部、４…切削具（バー）、５…翼（羽根）、６…チューブ、１０…ハンドピース、１１…排気孔、１２…吸入孔、２０…インスツルメントホース。
【図１】
2007143786.tif 000003
【図２】
2007143786.tif 000004